【手続補正書】
【提出日】平成16年11月9日(2004.11.9)
【手続補正１】
【補正対象書類名】明細書
【補正対象項目名】特許請求の範囲
【補正方法】変更
【補正の内容】
【特許請求の範囲】
【請求項１】
特定の対象から採取した複数の画像情報に基づいて画像を表示する画像表示方法であって、
前記画像情報の１つを採取した採取日の中から基準となる基準日を設定する基準日設定工程と、
前記基準日から過去に遡る期間を予め設定された所定期間で分割して複数の所定期間を設定する所定期間設定工程と、
前記設定された複数の所定期間の各々に過去に遡る順に値が増える序数を付し、該序数を該序数が付された所定期間内に採取された画像情報の採取序数として決定する採取序数決定工程と、
前記複数の画像情報に基づいて、前記決定された採取序数の順に複数の画像を同時に表示する画像表示工程とを有することを特徴とする画像表示方法。
【請求項２】
前記特定の対象が複数の対象からなる対象群であり、該対象群から前記画像情報を採取するのに複数日を要したときは、前記基準日設定工程は、前記画像情報を採取した前記対象の数が最も多い日を基準日に設定することを特徴とする請求項１記載の画像表示方法。
【請求項３】
前記特定の対象が複数の対象からなる対象群であり、該対象群から前記画像情報を採取するのに複数日を要したときは、前記基準日設定工程は、採取の初日を基準日に設定することを特徴とする請求項１記載の画像表示方法。
【請求項４】
前記採取序数の最大数を設定する最大数設定工程を有することを特徴とする請求項１乃至３のいずれか１項に記載の画像表示方法。
【請求項５】
前記決定した採取序数に欠番がある場合は、前記画像表示工程は、前記欠番に該当する画像が存在しない旨を表示することを特徴とする請求項１乃至４のいずれか１項に記載の画像表示方法。
【請求項６】
前記画像表示工程は、表示する画像の画像情報の採取日から経過した年数及び前記採取日の属する年度の少なくとも一方を前記画像とともに表示することを特徴とする請求項１乃至５のいずれか１項に記載の画像表示方法。
【請求項７】
特定の対象から採取した複数の画像情報に基づいて画像を表示する画像表示装置であって、
前記画像情報の１つを採取した採取日の中から基準となる基準日を設定する基準日設定手段と、
前記基準日から過去に遡る期間を予め設定された所定期間で分割して複数の所定期間を設定する所定期間設定手段と、
前記設定された複数の所定期間の各々に過去に遡る順に値が増える序数を付し、該序数を該序数が付された所定期間内に採取された画像情報の採取序数として決定する採取序数決定手段と、
前記複数の画像情報に基づいて、前記決定された採取序数の順に複数の画像を同時に表示する画像表示手段とを有することを特徴とする画像表示装置。
【請求項８】
前記特定の対象が複数の対象からなる対象群であり、該対象群から前記画像情報を採取するのに複数日を要したときは、前記基準日設定手段は、前記画像情報を採取した前記対象の数が最も多い日を基準日に設定することを特徴とする請求項７記載の画像表示装置。
【請求項９】
前記特定の対象が複数の対象からなる対象群であり、該対象群から前記画像情報を採取するのに複数日を要したときは、前記基準日設定手段は、採取の初日を基準日に設定することを特徴とする請求項７記載の画像表示装置。
【請求項１０】
前記採取序数の最大数を設定する最大数設定手段を有することを特徴とする請求項７乃至９のいずれか１項に記載の画像表示装置。
【請求項１１】
前記決定した採取序数に欠番がある場合は、前記画像表示工程は、前記欠番に該当する画像が存在しない旨を表示することを特徴とする請求項７乃至１０のいずれか１項に記載の画像表示装置。
【請求項１２】
前記画像表示手段は、表示する画像の画像情報の採取日から経過した年数及び前記採取日の属する年度の少なくとも一方を前記画像とともに表示することを特徴とする請求項７乃至１１のいずれか１項に記載の画像表示装置。
【請求項１３】
特定の対象から採取した複数の画像情報に基づいて画像を表示する画像表示方法を実行するプログラムを記憶した読み出し可能な記憶媒体であって、
前記プログラムは、前記画像情報の１つを採取した採取日の中から基準となる基準日を設定する基準日設定モジュールと、
前記基準日から過去に遡る期間を予め所定時間で分割して複数の所定時間を設定する所定期間設定モジュールと、
前記設定された複数の所定期間の各々に過去に遡る順に値が増える序数を付し、該序数を該序数が付された所定期間内に採取された画像情報の採取序数として決定する採取序数決定モジュールと、
前記複数の画像情報に基づいて、前記決定された採取序数の順に複数の画像を同時に表示する画像表示モジュールとを備えることを特徴とする記憶媒体。
【手続補正２】
【補正対象書類名】明細書
【補正対象項目名】００１０
【補正方法】変更
【補正の内容】
【００１０】
【課題を解決するための手段】
上記目的を達成するために、請求項１の画像表示方法は、特定の対象から採取した複数の画像情報に基づいて画像を表示する画像表示方法であって、前記画像情報の１つを採取した採取日の中から基準となる基準日を設定する基準日設定工程と、前記基準日から過去に遡る期間を予め設定された所定期間で分割して複数の所定期間を設定する所定期間設定工程と、前記設定された複数の所定期間の各々に過去に遡る順に値が増える序数を付し、該序数を該序数が付された所定期間内に採取された画像情報の採取序数として決定する採取序数決定工程と、前記複数の画像情報に基づいて、前記決定された採取序数の順に複数の画像を同時に表示する画像表示工程とを有することを特徴とする。
【手続補正３】
【補正対象書類名】明細書
【補正対象項目名】００１６
【補正方法】変更
【補正の内容】
【００１６】
上記目的を達成するために、請求項７記載の画像表示装置は、特定の対象から採取した複数の画像情報に基づいて画像を表示する画像表示装置であって、前記画像情報の１つを採取した採取日の中から基準となる基準日を設定する基準日設定手段と、前記基準日から過去に遡る期間を予め設定された所定期間で分割して複数の所定期間を設定する所定期間設定手段と、前記設定された複数の所定期間の各々に過去に遡る順に値が増える序数を付し、該序数を該序数が付された所定期間内に採取された画像情報の採取序数として決定する採取序数決定手段と、前記複数の画像情報に基づいて、前記決定された採取序数の順に複数の画像を同時に表示する画像表示手段とを有することを特徴とする。
【手続補正４】
【補正対象書類名】明細書
【補正対象項目名】００２２
【補正方法】変更
【補正の内容】
【００２２】
上記目的を達成するために、請求項１３記載の画像表示方法を実行するプログラムを記憶した読み出し可能な記憶媒体は、特定の対象から採取した複数の画像情報に基づいて画像を表示する画像表示方法を実行するプログラムを記憶した読み出し可能な記憶媒体であって、前記プログラムは、前記画像情報の１つを採取した採取日の中から基準となる基準日を設定する基準日設定モジュールと、前記基準日から過去に遡る期間を予め所定時間で分割して複数の所定時間を設定する所定期間設定モジュールと、前記設定された複数の所定期間の各々に過去に遡る順に値が増える序数を付し、該序数を該序数が付された所定期間内に採取された画像情報の採取序数として決定する採取序数決定モジュールと、前記複数の画像情報に基づいて、前記決定された採取序数の順に複数の画像を同時に表示する画像表示モジュールとを備えることを特徴とする。
【手続補正５】
【補正対象書類名】明細書
【補正対象項目名】００３９
【補正方法】変更
【補正の内容】
【００３９】
図３及び図４において、ＭＯディスク１１の画像情報は既にＨＤ２２への複写を完了しているものとして説明する。従って、Ｎｅｗフォルダ２２０内に作成された分類フォルダ２２１にはＣ社のデータセットが容量いっぱいまで複製されている。このため、分類フォルダ２２１にはデータセットを格納する容量が無いことを示すＦｕｌｌ  Ｆｌａｇが設定されている。このＦｕｌｌ  Ｆｌａｇの有無は分類フォルダ内にＦｕｌｌ．ｄａｔなる空のフォルダの有無によって決まる。また、診断済みを示すＤｉａｇｎｏｓｉｓ  Ｆｌａｇの有無は、Ｄｉａｇ．ｄａｔなる空のファイルの有無によって決まる。さらに、ＣＤ−Ｒへの複製済を示すＣＤ−Ｗｒｉｔｔｅｎ  Ｆｌａｇの有無は、Ｗｒｉｔｔｅｎ．ｄａｔなる空のファイルの有無によって決まる。分類フォルダ２２２には、Ｃ社のデータセットのうち「検査０６４０」まで複製されている。
【手続補正６】
【補正対象書類名】明細書
【補正対象項目名】００５５
【補正方法】変更
【補正の内容】
【００５５】
図６では、最新（直近）の検診は１９９８年７月１日に実施されたものとする。この実施日を基準日に設定し（基準日設定工程）、この基準日のみを含んで該基準日から過去に遡る期間であって、該期間の始期から過去に遡って終期があるオフセット期間を指定しておく。ここでは、オフセット期間を６ヶ月に指定する。次に、オフセット期間の前記終期から遡って設定する期間であって、過去の採取日を各々含む所定の期間を連続して繰り返し設定する（所定期間設定工程）。ここでは、この所定期間を１２ヶ月に設定する。
【手続補正７】
【補正対象書類名】明細書
【補正対象項目名】００６０
【補正方法】変更
【補正の内容】
【００６０】
次に、オフセット期間Ｏを設定すると共に検査序数（採取序数）Ｎをゼロに設定する（ステップＳ６０２）、オフセット期間Ｏの設定に続いて所定の期間Ｉを設定する（所定期間設定工程）（ステップＳ６０３）。ここで、所定の期間Ｉの長さは、例えば、検診が１年に１回ならば１２ヶ月である。